(57)【特許請求の範囲】
【請求項１】
雨傘、日傘、杖、ステッキ、又はストックのいずれかの棒状体の支持具であって、
三角形のテーブルと、
前記テーブルの上部に接続され棒状体に固定される取付部と、
前記テーブルの三つの角部分のそれぞれの下部に接続される三本の脚部と、
前記脚部の先端に設けられた弾性変形可能な変形部と、
前記取付部は貫通孔として形成された開口部を備え、
前記開口部はテーブルの開口部と互いに連通して、
棒状体を挿入して接地できるようになっており、
前記テーブルの上部に接続された取付部の外周部には固定ねじが設けられており、
前記棒状体が前記開口部に挿入され接地しない状態で、
前記固定ねじが取付部の外周部から内側に貫通されることによって棒状体の一方の側壁に当接されるとともに、
棒状体の他方の側壁が前記取付部の内周面に押し当てられて支持具に固定されていることを特徴とする棒状体の支持具。
【請求項２】
前記取付部と前記脚部との間に、粘着性防振マットが介在する、請求項１に記載の棒状体の支持具。
【請求項３】
前記変形部が、ウレタン材料、コイルスプリング、軟質ゴム又はエラストマーのうちの少なくとも一つからなる、請求項１又は２に記載の棒状体の支持具。
【発明の詳細な説明】
【技術分野】
【０００１】
本発明は、棒状体の支持具に関する。
【背景技術】
【０００２】
地面と一点で接地する棒状体を備えた物が種々知られている。このような物としては、例えば、傘や杖、あるいは、テントの脚や旗竿等が挙げられる。一点で接地する棒状体は、安定性が低い。これに対して、棒状体に対して後付け可能であり、棒状体を支持する支持具がある（例えば、特許文献１を参照）。
【先行技術文献】
【特許文献】
【０００３】
【特許文献１】実用新案登録第３１８８５０７号
【発明の概要】
【発明が解決しようとする課題】
【０００４】
しかしながら、接地面に対する棒状体の角度は一定であるとは限らない。例えば、テントの脚や旗竿等は、風を受けることによって地面に対して成す角度が変化する。したがって、接地面に対する棒状体の角度が変化する場合であっても、支持具を取り付けることによる棒状物の安定性のさらなる向上が望まれる。また、傘や杖の接地時に、地面から受ける衝撃を緩和することができれば、使用者にとって使い心地がよくなると考えられる。【０００５】
本発明は、上記問題に鑑みてなされたものであり、本発明の目的とするところは、棒状体に後付けされて、棒状体の安定性や使い心地等の有用性を向上可能な支持具を提供することにある。
【課題を解決するための手段】
【０００６】
上記課題を解決するために、本発明は以下の棒状体の支持具であることを特徴とする。
（１）雨傘、日傘、杖、ステッキ、又はストックのいずれかの棒状体の支持具であって、
三角形のテーブルと、
前記テーブルの上部に接続され棒状体に固定される取付部と、
前記テーブルの三つの角部分のそれぞれの下部に接続される三本の脚部と、
前記脚部の先端に設けられた弾性変形可能な変形部と、
前記取付部は貫通孔として形成された開口部を備え、
前記開口部はテーブルの開口部と互いに連通して、
棒状体を挿入して接地できるようになっており、
前記テーブルの上部に接続された取付部の外周部には固定ねじが設けられており、
前記棒状体が前記開口部に挿入され接地しない状態で、
前記固定ねじが取付部の外周部から内側に貫通されることによって棒状体の一方の側壁に当接されるとともに、
棒状体の他方の側壁が前記取付部の内周面に押し当てられて支持具に固定されていることを特徴とする棒状体の支持具。
（２）上記（１）において、
前記取付部と前記脚部との間に、粘着性防振マットが介在することを特徴とする棒状体の支持具。
（３）上記（１）又は（２）において、
前記変形部が、ウレタン材料、コイルスプリング、軟質ゴム又はエラストマーのうちの少なくとも一つからなることを特徴とする棒状体の支持具。
【発明の効果】
【０００７】
以上説明したように本発明によれば、棒状物に後付けされる支持具によって、棒状体の安定性や使い心地等の有用性を向上させることができる。
【図面の簡単な説明】
【０００８】
【図１】本発明の第１の実施の形態に係る支持具の斜視図である。
【図２】同実施形態に係る支持具の平面図である。
【図３】同実施形態に係る支持具の断面図である。
【図４】本発明の第２の実施の形態に係る支持具の断面図である。
【図５】同実施形態に係る支持具の作用を説明するための説明図である。
【図６】本発明の第３の実施の形態に係る支持具の斜視図である。
【図７】本発明の第４の実施の形態に係る支持具の斜視図である。
【発明を実施するための形態】
【０００９】
以下、添付図面を参照しながら、本発明の好適な実施の形態について詳細に説明する。なお、本明細書及び図面において、実質的に同一の機能構成を有する構成要素については、同一の符号を付することにより重複説明を省略する。
【００１０】
＜１．第１の実施の形態＞
第１の実施の形態に係る棒状体の支持具は、棒状体に取り付けられて棒状体の立設を補助するための補助具である。支持具は、地面に対して例えば一点で接地する棒状体に後付けされて、棒状体及び支持具が全体として三点以上で接地するようにして、棒状体の立設を補助する。
【００１１】
棒状体としては、雨傘や日傘、ビーチパラソルの中棒、旗竿、のぼりの竿、歩行用あるいはスポーツ用の杖、ステッキ、松葉杖、ストック、テントや灰皿等の支柱、ポール、卒塔婆、錫杖、ストランドクラッチ（腕支え）等が例示される。
支持具は、例えば、雨傘や日傘、杖、ステッキ、ストック、ストランドクラッチ等の未使用時に、それらを立てかけておく際の安定性を向上させる。
また、支持具は、例えば、ビーチパラソルやテント等の支柱、ポール等の使用時に、それらの安定性を向上させる。ただし、棒状体は、上記の例に限られない。
【００１２】
図１〜図３を参照して、第１の実施の形態に係る棒状体の支持具の構成例を説明する。図１は、本実施形態に係る支持具の斜視図である。図２は、同実施形態に係る支持具の平面図であって、図１に示す支持具を上方から見た図である。図３は、同実施形態に係る支持具の断面図である。
【００１３】
支持具１０は、取付部１１、テーブル１７及び脚部１８ａ−１８ｃを備える。取付部１１は、棒状体３０に固定される部分である。テーブル１７は、脚部１８ａ−１８ｃが固定されたベース部分である。脚部１８ａ−１８ｃは、少なくとも二点で接地する部分である。本実施形態に係る支持具１０は、三本の脚部１８ａ−１８ｃを備え、三点で接地可能となっている。
【００１４】
テーブル１７は、正三角形状に構成され、テーブル１７の三つの角部分にそれぞれ三本の脚部１８ａ−１８ｃのいずれかが接続されている。テーブル１７は、平面視の中央に、棒状体３０が挿入される開口部１７ａを備える。テーブル１７及び脚部１８ａ−１８ｃは、それぞれ硬質の部材として形成されて、変形しにくくなっている。テーブル１７及び脚部１８ａ−１８ｃは、例えば、金属、硬質の樹脂、木又は竹等の少なくとも一つ又はこれらの組み合わせであってもよい。
【００１５】
テーブル１７のうち、脚部１８ａ−１８ｃが接続された面とは反対側の面に取付部１１が固定されている。取付部１１は、貫通孔として形成された開口部１１ａを備えた円筒形状を有する。取付部１１及びテーブル１７の開口部１１ａ，１７ａは互いに連通し、当該開口部１１ａ，１７ａには、棒状体３０が挿入される。それぞれの開口部１１ａ，１７ａの平面形状は円形状となっているが、開口部１１ａ，１７ａの形状は円形状に限られない。
【００１６】
取付部１１は、テーブル１７と同様に、硬質の部材として形成されて、変形しにくくなっている。取付部１１は、例えば、金属、硬質の樹脂、木又は竹等の少なくとも一つ又はこれらの組み合わせであってもよい。取付部１１の外周部には、固定ねじ１２が貫通するようにして挿入されている。棒状体３０を開口部１１ａ，１７ａに挿入した状態で固定ねじ１２を取付部１１の中心方向へ進入させることにより、棒状体３０は、取付部１１の内周面に押し付けられる。これにより、支持具１０が、棒状体３０に固定される。取付部１１の高さ（円筒形状の軸方向の長さ）は、棒状体３０への固定機能を確保できる限り、特に限定されない。なお、取付部１１の外観形状は、円筒形状に限られない。
【００１７】
テーブル１７と取付部１１との固定方法は特に限定されない。例えば、テーブル１７と取付部１１とは、接着剤を用いて固定されてもよく、機械的に結合されていてもよく、嵌合されていてもよい。また、テーブル１７と取付部１１とは、粘着性防振マットを用いて固定されていてもよい。
【００１８】
粘着性防振マットは、テーブル１７と取付部１１とを連結する機能と併せて、振動を吸収する機能を有する。粘着性防振マットは、例えば、軟質ゴム又は軟質エラストマーに粘着性を加えた材料からなり、厚さが例えば１．０〜３．０ｍｍのシート状物であってもよい。テーブル１７と取付部１１とが粘着性防振マットを介して接続されていることにより、脚部１８ａ−１８ｃからテーブル１７を介して取付部１１へと伝達される振動を抑制することができる。
【００１９】
脚部１８ａ−１８ｃの先端（下端）には、変形部１９ａ−１９ｃが設けられている。変形部１９ａ−１９ｃは、脚部１８ａ−１８ｃに比べて変形しやすくなっている。変形部１９ａ−１９ｃは、例えば、ウレタン材料、コイルスプリング、軟質ゴム又はエラストマーのうちの少なくとも一つからなり、弾性変形可能に構成されている。変形部１９ａ−１９ｃは、力が加えられることによって変形する一方、変形時には、元の状態に復帰しようとする復帰力が発生するようになっている。脚部１８ａ−１８ｃの先端に変形部１９ａ−１９ｃを備えることにより、脚部１８ａ−１８ｃを地面に接地した際の衝撃を緩和することができる。
【００２０】
変形部１９ａ−１９ｃの弾性強度は、変形許容度に応じて適切に選択される。例えば、変形部１９ａ−１９ｃの変形度合いを小さくしたい場合には、変形部１９ａ−１９ｃの弾性強度が小さくされる。変形部１９ａ−１９ｃの弾性強度は、変形部１９ａ−１９ｃの構成材料、変形部１９ａ−１９ｃの高さ（軸方向の長さ）、変形部１９ａ−１９ｃの直径等を変更することにより調節することができる。
【００２１】
変形部１９ａ−１９ｃと脚部１８ａ−１８ｃとの固定方法は特に限定されない。例えば、変形部１９ａ−１９ｃと脚部１８ａ−１８ｃとは、接着剤を用いて固定されてもよく、機械的に結合されていてもよく、嵌合されていてもよい。また、変形部１９ａ−１９ｃと脚部１８ａ−１８ｃとは、粘着性防振マットを用いて固定されていてもよい。変形部１９ａ−１９ｃの先端は、先鋭な形状ではなく、平坦あるいは曲面形状であることが好ましい。これにより、支持具１０の接地時の安定性が高められるとともに、人体の足等への安全性を高めることができる。
【００２２】
本実施形態に係る支持具１０は、三本の脚部１８ａ−１８ｃを備えているが、この場合、テーブル１７の平面形状は三角形状に限られない。
【００２３】
図３を参照して、本実施形態に係る支持具１０の作用を説明する。図３は、棒状体３０に支持具１０を取り付けた状態（初期状態）を示している。図３に示した例では、支持具１０の三本の脚部１８ａ−１８ｃと併せて棒状体３０も接地するように支持具１０が棒状体３０に取り付けられている。
【００２４】
図３に示すように、棒状体３０に支持具１０を取り付けた状態で、棒状体３０と三本の脚部１８ａ−１８ｃとが接地して、棒状体３０の立設が安定化する。また、脚部１８ａ−１８ｃの先端に変形部１９ａ−１９ｃが設けられているために、支持具１０を接地したときに脚部１８ａ−１８ｃからテーブル１７を介して取付部１１へと伝達される振動を低減することができる。このため、棒状体３０の安定化を向上させることができるとともに、棒状体３０への衝撃を低減することができる。特に、棒状体３０が杖やステッキ等、人に触れて用いられるものである場合には、ユーザへの衝撃を緩和することができる。
【００２５】
なお、棒状体３０に支持具１０を取り付けた状態において、棒状体３０が接地しなくてもよい。本実施形態に係る支持具１０は、三本の脚部１８ａ−１８ｃを備えているため、棒状体３０が接地していない場合であっても、棒状体３０の立設の安定化を図ることができる。また、変形部１９ａ−１９ｃは、脚部１８ａ−１８ｃの先端側に取り付けられる例に限定されず、脚部１８ａ−１８ｃの先端部を被覆していてもよい。あるいは、脚部１８ａ−１８ｃ全体が、衝撃を緩和可能な素材から形成されていてもよい。
【００２６】
本実施形態に係る支持具１０によれば、棒状体３０に支持具１０を後付けすることにより、棒状体３０の立設を安定化することができる。また、脚部１８ａ−１８ｃの先端に変形部１９ａ−１９ｃが設けられているために、棒状体３０の傾きに支持具１０を追従させることができ、棒状体３０の立設をより安定化することができる。
【００２７】
また、脚部１８ａ−１８ｃの先端に変形部１９ａ−１９ｃが設けられているために、支持具１０の接地時に、脚部１８ａ−１８ｃから取付部１１へと伝達される振動を低減することができる。このため、棒状体３０の安定化を向上させることができるとともに、棒状体３０への衝撃を低減することができる。特に、棒状体３０が杖やステッキ等、人に触れて用いられるものである場合には、ユーザへの衝撃を緩和することができる。以上のように、本実施形態に係る支持具１０によれば、棒状体の安定性や使い心地等の有用性を向上させることができる。
【００２８】
＜２．第２の実施の形態＞
次に、第２の実施の形態に係る棒状体の支持具を説明する。
第２の実施の形態に係る棒状体の支持具は、第１の実施の形態に係る支持具におけるテーブルが開口部を有することなく、棒状体がテーブルを貫通しない構成である点で第１の実施の形態に係る支持具とは異なる。以下、第２の実施の形態に係る棒状体の支持具について、主として第１の実施の形態に係る支持具と異なる点を説明する。
【００２９】
図４は、本実施形態に係る棒状体の支持具１０Ａの断面図であり、第１の実施の形態において説明した図３に対応する説明図である。
【００３０】
本実施形態に係る支持具１０Ａのテーブル１７は、開口部を有していない。したがって、棒状体３０は、テーブル１７を貫通することなく、地面に直接接地することがない。棒状体３０が挿入される筒状の取付部１１は、軟質材１３を介してテーブル１７に取り付けられている。
【００３１】
軟質材１３は、変形部１９ａ−１９ｃと同様に、例えば、ウレタン材料、コイルスプリング、軟質ゴム又はエラストマーのうちの少なくとも一つからなり、弾性変形可能に構成されている。軟質材１３は、力が加えられることによって変形する一方、変形時には、元の状態に復帰しようとする復帰力が発生するようになっている。軟質材１３の弾性強度は、変形許容度に応じて適切に選択される。例えば、軟質材１３の変形度合いを小さくしたい場合には、軟質材１３の弾性強度が小さくされる。軟質材１３の弾性強度は、軟質材１３の構成材料、軟質材１３の高さ（軸方向の長さ）、軟質材１３の直径等を変更することにより調節することができる。
【００３２】
軟質材１３とテーブル１７又は取付部１１との固定方法は特に限定されない。例えば、軟質材１３とテーブル１７又は取付部１１とは、接着剤を用いて固定されてもよく、機械的に結合されていてもよく、嵌合されていてもよい。また、軟質材１３とテーブル１７又は取付部１１とは、粘着性防振マットを用いて固定されていてもよい。
【００３３】
軟質材１３は、テーブル１７と同様に開口部を有していない。このため、棒状体３０の先端とテーブル１７との間に、軟質材１３が介在した状態となり、脚部１８ａ−１８ｃからテーブル１７を介して取付部１１及び棒状体３０へと伝達される振動を抑制することができる。
【００３４】
また、図４に示すように、棒状体３０の向きを基本位置（Ｌ０）から傾けた状態（Ｌ１）では、軟質材１３が変形することによって、脚部１８ａ−１８ｃが地面に接地したままで、棒状体３０をジョイスティックのように安定的に動かすことができる。
【００３５】
本実施形態に係る支持具１０Ａによれば、棒状体３０に支持具１０Ａを後付けすることにより、棒状体３０の立設を安定化することができる。また、脚部１８ａ−１８ｃの先端に変形部１９ａ−１９ｃが設けられているために、棒状体３０の傾きに支持具１０Ａを追従させることができ、棒状体３０の立設をより安定化することができる。また、脚部１８ａ−１８ｃの先端に変形部１９ａ−１９ｃが設けられているために、支持具１０の接地時に、脚部１８ａ−１８ｃから取付部１１へと伝達される振動を低減することができる。このため、棒状体３０の安定化を向上させることができるとともに、棒状体３０への衝撃を低減することができる。以上のように、本実施形態に係る支持具１０Ａによれば、棒状体の安定性や使い心地等の有用性を向上させることができる。
【００３６】
＜３．第３の実施の形態＞
次に、第３の実施の形態に係る棒状体の支持具を説明する。
第３の実施の形態に係る棒状体の支持具は、脚部に四本の脚部を有し、脚部が四点で接地する点で第１の実施の形態に係る支持具とは異なる。図６は、本実施形態に係る棒状体の支持具４０の斜視図であり、第１の実施の形態において説明した図１に対応する説明図である。
【００３７】
本実施形態に係る支持具４０は、取付部１１、テーブル４７及び脚部４８ａ−４８ｄを備える。取付部１１は、棒状体３０に固定される部分である。テーブル４７は、取付部１１と脚部４８ａ−４８ｄとを連結する部分である。脚部４８ａ−４８ｄは、四点で接地する部分である。テーブル４７は矩形状に構成され、テーブル４７の四つの角部分のそれぞれに四本の脚部４８ａ−４８ｄのいずれかが接続されている。四本の脚部４８ａ−４８ｄの先端には、変形部４９ａ−４９ｄが取り付けられている。
【００３８】
以上説明した構成以外の点については、第１の実施の形態に係る支持具１０と同様に構成することができる。
【００３９】
本実施形態に係る支持具４０によれば、棒状体３０に支持具４０を後付けすることにより、棒状体３０の立設を安定化することができる。また、本実施形態に係る支持具４０は、四本の脚部４８ａ−４８ｄを備えるため、棒状体３０の立設をより安定化することができる。また、脚部４８ａ−４８ｄの先端に変形部４９ａ−４９ｄが設けられているために、棒状体３０の傾きに支持具４０を追従させることができ、棒状体３０の立設をより安定化することができる。
【００４０】
また、脚部４８ａ−４８ｄの先端に変形部４９ａ−４９ｄが設けられているために、支持具４０の接地時に、脚部４８ａ−４８ｄから取付部１１へと伝達される振動を低減することができる。このため、棒状体３０の安定化を向上させることができるとともに、棒状体３０への衝撃を低減することができる。特に、棒状体３０が杖やステッキ等、人に触れて用いられるものである場合には、ユーザへの衝撃を緩和することができる。以上のように、本実施形態に係る支持具４０によれば、棒状体の安定性や使い心地等の有用性を向上させることができる。
【００４１】
なお、第１の実施の形態に係る支持具は三本の脚部を備え、第３の実施の形態に係る支持具は四本の脚部を備えていたが、脚部に設けられる脚部の数は五本以上であってもよい。
【００４２】
＜４．第４の実施の形態＞
次に、第４の実施の形態に係る棒状体の支持具を説明する。
第４の実施の形態に係る棒状体の支持具は、二本の脚部を有し、脚部が二点で接地する点、及び、取付部の形態が第１の実施の形態に係る支持具とは異なる。以下、第４の実施の形態に係る棒状体の支持具について、主として第１の実施の形態に係る支持具と異なる点を説明する。
【００４３】
図７は、本実施形態に係る棒状体の支持具５０の斜視図である。
本実施形態に係る支持具５０は、取付部５１、保持部５３及び支え部５７を備える。取付部５１は、略Ｕ字形状を成し、棒状体３０に対して側方から装着可能になっている。取付部５１は、支え部５７と同様に、硬質の部材として形成されて、変形しにくくなっている。取付部５１は、例えば、金属、硬質の樹脂、木又は竹等の少なくとも一つ又はこれらの組み合わせであってもよい。Ｕ字形状の取付部５１の両端側には固定ねじ５２が貫通するように挿入されており、取付部５１を棒状体３０の外周面に装着した状態で固定ねじ５２を締め付けることによって、支持具５０を棒状体３０に固定することができる。取付部５１の幅（棒状体の軸方向の長さ）は、棒状体３０への固定機能を確保できる限り、特に限定されない。
【００４４】
保持部５３は、取付部５１の長さ方向の中央部に設けられている。取付部５１と保持部５３との固定方法は特に限定されない。取付部５１と保持部５３とは、粘着性防振マットを用いて固定されていてもよい。保持部５３は、支え部５７の一部が挿入される溝を有し、支え部５７の一部が当該保持部５３に保持された状態で、図示しない接着剤や固定ねじ等により固定される。
【００４５】
支え部５７は、略Ｖ字形状を成し、Ｖ字の二つの脚部分が、接地する脚部５８ａ−５８ｂとしての機能を有する。支え部５７は、Ｖ字形状の根元部分で保持部５３に保持される。支え部５７は、硬質の部材として形成されて、変形しにくくなっている。支え部５７は、例えば、金属、硬質の樹脂、木又は竹等の少なくとも一つ又はこれらの組み合わせであってもよい。
【００４６】
脚部５８ａ−５８ｂの先端には、変形部５９ａ−５９ｂが設けられている。変形部５９ａ−５９ｂは、力が加えられることによって変形する一方、変形時には、元の状態に復帰しようとする復帰力が発生するようになっている。変形部５９ａ−５９ｂの弾性強度は、変形許容度に応じて適切に選択される。変形部５９ａ−５９ｂの弾性強度は、変形部５９ａ−５９ｂの構成材料又は変形部５９ａ−５９ｂの肉厚等を変更することにより調節することができる。
【００４７】
なお、取付部５１は略Ｕ字形状となっているが、取付部５１の形状は、棒状体３０を挟み込むことが可能な形状であればよく、Ｕ字形状に限られない。また、支え部５７に設けられた脚部の数についても、少なくとも二本以上であれば特に限定されない。
【００４８】
本実施形態に係る支持具５０は、棒状体３０に後付けされることで、棒状体３０を含めて三脚のようにして棒状体３０の立設を補助する。また、脚部５８ａ−５８ｂの先端に変形部５９ａ−５９ｂが設けられているために、棒状体３０の傾きに支持具５０を追従させることができ、棒状体３０の立設をより安定化することができる。また、脚部５８ａ−５８ｂの先端に変形部５９ａ−５９ｂが設けられているために、脚部５８ａ−５８ｂから取付部５１へと伝達される振動を低減することができる。このため、棒状体３０の安定化を向上させることができるとともに、棒状体３０への衝撃を低減することができる。特に、棒状体３０が杖やステッキ等、人に触れて用いられるものである場合には、ユーザへの衝撃を緩和することができる。以上のように、本実施形態に係る支持具５０によれば、棒状体の安定性や使い心地等の有用性を向上させることができる。
【００４９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５０】
例えば、上記各実施形態では、支持具が、取付部に設けられた固定ねじを用いて棒状体に固定されていたが、本発明はかかる例に限定されない。例えば、支持具を棒状体に固定可能な手段であれば、取付部の態様は適宜選択することができる。例えば、取付部が、ロッククランプであってもよい。
【００５１】
また、上記第１〜第３の実施の形態において、取付部や変形部等に設けられる開口部の大きさ（直径）や平面形状は、棒状体を挿入可能な大きさあるいは平面形状であれば特に限定されない。また、上記各実施形態では、支持具が、棒状体が挿入あるいは装着される一つの開口部を備えていたが、本発明は係る例に限定されない。例えば、支持具は、大、中、小の三つの大きさの開口部を備えていてもよい。これにより、安定させたい対象の棒状体の大きさによって、棒状体を挿入あるいは装着させる開口部を選択することができ、支持具の汎用性が高められる。
【符号の説明】
【００５２】
１０，４０，５０    支持具
１１，５１    取付部
１７，４７    テーブル
１８，４８，５８    脚部
１９，４９，５９    変形部
３０    棒状体
【要約】
【課題】棒状体に後付けされて、棒状体の有用性を向上可能な支持具を提供する。
【解決手段】棒状体の支持具は、棒状体に固定される取付部と、少なくとも二本の脚部と、脚部の先端に設けられた弾性変形可能な変形部と、を備える。
【選択図】図３【図１】
0006678282.tif 000002
【図２】
0006678282.tif 000003
【図３】
0006678282.tif 000004
【図４】
0006678282.tif 000005
【図５】
0006678282.tif 000006
【図６】
0006678282.tif 000007
【図７】
0006678282.tif 000008